(57)【特許請求の範囲】
【請求項１】
器具本体挿通孔を有して天井板の埋設孔の上面に配置される取付板と、
器具本体挿通孔を有して前記天井板の埋設孔の下面に配置されて前記取付板に取り付けられる補助枠と、
器具本体に取付ばねを有する照明器具の前記器具本体に取り付けられる化粧板とを有し、
前記取付板と前記補助枠とにより前記天井板を挟み込んで前記器具本体を支持し、
前記補助枠は、フランジ部の内周側に段差部を有し、前記段差部に前記取付板との固定具を配置するリニューアルプレート。
【請求項２】
請求項１に記載のリニューアルプレートにおいて、
前記取付板は、前記取付ばねが当接される切欠を有するリニューアルプレート。
【請求項３】
請求項１または請求項２に記載のリニューアルプレートにおいて、
前記補助枠の前記器具本体挿通孔は、前記取付板の前記器具本体挿通孔よりも大径であるリニューアルプレート。
【請求項４】
請求項１ないし請求項３のうちのいずれか１項に記載のリニューアルプレートにおいて、
前記取付板は、前記天井板の前記埋設孔に係合される突起を有するリニューアルプレート。
【発明の詳細な説明】
【技術分野】
【０００１】
本発明は、照明器具に有する器具本体を天井板に支持するリニューアルプレートに関する。
【背景技術】
【０００２】
従来より、天井板の上面に配置される取付部材と、取付部材に係合される取付ばねが取り付けられた枠部材とを有するリニューアルプレートが知られている（例えば、特許文献１参照）。
特許文献１に記載のリニューアルプレートは、取付部材を天井板の上面に配置してから、枠部材を天井板の下面に当接させて枠部材の取付ばねを取付部材に係合させる。そして、器具本体を埋設孔に挿入して取付具により器具本体を埋設孔に支持した後に、枠部材と取付部材とにより器具本体を挟み込むことにより器具本体を埋設孔に取り付けできる。
【先行技術文献】
【特許文献】
【０００３】
【特許文献１】特開２０１０−７３４８０号公報（図８、請求項１）
【発明の概要】
【発明が解決しようとする課題】
【０００４】
ところが、前述した特許文献１に記載されたリニューアルプレートは、リニューアルプレートに有する取付ばねにより器具本体およびリニューアルプレート自体が保持されるために、保持力が取付ばねに委ねられる。そのため、保持力をリニューアルプレート側で考慮しなくてはならない。
従って、前述した特許文献１に記載されたリニューアルプレートは、保持力の設定が難しいばかりか複雑な構造になる。
【０００５】
本発明は、前述した課題を解決するためになされたものであり、その目的は、保持力の設定を簡単にできるとともに簡素な構造にできるリニューアルプレートを提供することにある。
【課題を解決するための手段】
【０００６】
本発明に係るリニューアルプレートは、器具本体挿通孔を有して天井板の埋設孔の上面に配置される取付板と、器具本体挿通孔を有して前記天井板の埋設孔の下面に配置されて前記取付板に取り付けられる補助枠と、器具本体に取付ばねを有する照明器具の前記器具本体に取り付けられる化粧板とを有し、前記取付板と前記補助枠とにより前記天井板を挟み込んで前記器具本体を支持し、前記補助枠は、フランジ部の内周側に段差部を有し、前記段差部に前記取付板との固定具を配置する。
【０００７】
本発明に係るリニューアルプレートは、前記取付板は、前記取付ばねが当接される切欠を有する。
【０００９】
本発明に係るリニューアルプレートは、前記補助枠の前記器具本体挿通孔は、前記取付板の前記器具本体挿通孔よりも大径である。
【００１０】
本発明に係るリニューアルプレートは、前記取付板は、前記天井板の前記埋設孔に係合される突起を有する。
【発明の効果】
【００１１】
本発明に係るリニューアルプレートによれば、保持力の設定を簡単にできるとともに簡素な構造にできるという効果を奏する。
【図面の簡単な説明】
【００１２】
【図１】本発明に係る一実施形態のリニューアルプレートを適用した照明器具の天井板への取付状態の斜め上方から視た外観斜視図
【図２】本発明に係る一実施形態のリニューアルプレートにおける取付板の斜め下方から視た外観斜視図
【図３】本発明に係る一実施形態のリニューアルプレートにおける取付板の天井板の下方から視た底面図
【図４】本発明に係る一実施形態のリニューアルプレートにおける補助枠の斜め上方から視た外観斜視図
【図５】本発明に係る一実施形態のリニューアルプレートにおける補助枠の天井板の下方から視た底面図
【図６】本発明に係る一実施形態のリニューアルプレートにおける化粧板の斜め下方から視た外観斜視図
【図７】本発明に係る一実施形態のリニューアルプレートの天井板への取付状態の斜め下方から視た外観斜視図
【図８】本発明に係る一実施形態のリニューアルプレートの天井板への取付状態の取付板周りの垂直断面図
【図９】本発明に係る一実施形態のリニューアルプレートの天井板への取付状態の固定部周りの垂直断面図
【図１０】本発明に係る一実施形態のリニューアルプレートの組立手順の第１段階の斜め上方から視た外観斜視図
【図１１】本発明に係る一実施形態のリニューアルプレートの組立手順の第２段階の斜め上方から視た外観斜視図
【図１２】本発明に係る一実施形態のリニューアルプレートの組立手順の第３段階の斜め上方から視た外観斜視図
【図１３】本発明に係る一実施形態のリニューアルプレートの組立手順の第４段階の斜め上方から視た外観斜視図
【図１４】本発明に係る一実施形態のリニューアルプレートの組立手順の第５段階の斜め上方から視た外観斜視図
【図１５】本発明に係る一実施形態のリニューアルプレートの組立手順の第５段階の斜め下方から視た外観斜視図
【図１６】本発明に係る一実施形態のリニューアルプレートの天井板への取付状態の取付ばね周りの斜め上方から視た外観斜視図
【図１７】本発明に係る一実施形態のリニューアルプレートの天井板への取付状態の取付ばね周りの垂直断面図
【発明を実施するための形態】
【００１３】
以下、本発明に係る一実施形態のリニューアルプレートについて図面を参照して説明する。
本発明に係る一実施形態のリニューアルプレート１０は、天井板１に形成された埋設孔２の上面に配置される取付板１１と、天井板１の埋設孔２の下面に配置されて固定具であるボルト１３により取付板１１に取り付けられる補助枠１２と、器具本体５１に取付ばね５２を有する照明器具５０の器具本体５１に取り付けられる化粧板１４とを備え、取付板１１と補助枠１２とにより天井板１を挟み込んで器具本体５１を支持する。
【００１４】
図１に示すように、照明器具５０は、器具本体５１の側部に複数の取付ばね５２が取り付けられており、器具本体５１の底部に複数のＬＥＤ（図１５参照）５３を装備するＬＥＤユニット（図１５参照）５４が取付けられている。器具本体５１は、ＬＥＤユニット５４の前面にレンズ（図１５参照）５５が取り付けられている。
【００１５】
器具本体５１は、その上部にブラケット５６を介して電源ユニット５７が取り付けられており、同じくブラケット５６を介して取り付けられた電源端子台５８が電源ユニット５７に電気的に接続されている。電源端子台５８は、外部の電源回路に電気的に接続されるとともに電源ユニット５７に電気的に接続される。電源ユニット５７は、ＬＥＤユニット５４において、ＬＥＤ５３が実装されている不図示のＬＥＤ基板に有するプリント回路に電気的に接続されており、プリント回路に所定の直流電流を与えてＬＥＤ５３を発光させる。
【００１６】
取付ばね５２は、器具本体５１に対して斜め上方に向けて延出されている。取付ばね５２は、器具本体５１が埋設孔２に下方から挿入される際に器具本体５１に沿うように弾性変形される。そして、取付ばね５２は、器具本体５１が埋設孔２に挿入された後に、それぞれの外径を大きくするように弾性復元されることにより、器具本体５１を天井板１に対して上昇させる押上力を器具本体５１に付与する。
【００１７】
図２に示すように、取付板１１は、厚みの薄い金属製板部材を用いて外形が正方形に形成された取付板本体１５を有する。取付板１１は、取付板本体１５の中央部に円形の貫通孔である器具本体挿通孔１６を有し、器具本体挿通孔１６の周りに一対のねじ孔１７を有する。取付板１１は、器具本体挿通孔１６に器具本体５１の取付ばね５２が収まる大きさを有する切欠１８を取付ばね５２に対応した位置に有する。取付板１１は、取付板本体１５の外縁に外周起立板１９を有する。取付板１１は、取付板本体１５の下面の器具本体挿通孔１６の外側に、複数の位置決め突起２０を埋設孔２の内径に対応して下方に向けて突出して有する。
【００１８】
図３に示すように、取付板１１は、天井板１の埋設孔２上に配置される。このとき、取付板１１は、位置決め突起２０が埋設孔２の内周面に係合されることにより、埋設孔２の同心の位置に位置決めされる。
従って、取り付けに際し、取付板１１が天井板１の埋設孔２上に配置されたときに、位置決め突起２０により、取付板１１を埋設孔２の所定の位置に位置決めできる。
【００１９】
図４に示すように、補助枠１２は、取付板１１と同様に、厚みの薄い金属製板部材を用いて内周部に器具本体挿通孔２１を有して外形が円環形に形成されたフランジ部２２を有する。補助枠１２は、フランジ部２２の内周側に上方に段差を介して接続された段差部２３を有し、段差部２３に取付板１１のねじ孔１７に対応したボルト挿通孔２４を有する。
【００２０】
図５に示すように、補助枠１２は、天井板１の埋設孔２の下面に配置された後に、段差部２３のボルト挿通孔２４に挿通されたボルト１３が取付板１１のねじ孔１７にねじ込まれる。このとき、取付板１１の器具本体挿通孔１６が有する内径寸法Ｌ１よりも補助枠１２の器具本体挿通孔２１が有する内径寸法Ｌ２の方が大径である。そのため、天井板１の下方から取付板１１の切欠１８を直視できる。
従って、天井板１の下方から取付板１１の切欠１８を直視できるために、施工性を良好にできる。
【００２１】
図６に示すように、化粧板１４は、取付板１１と同様に、厚みの薄い金属製板部材を用いて円環形状に形成された化粧板本体２５を有し、化粧板本体２５の中央部に照射孔２６を有する。化粧板１４は、化粧板本体２５の外周縁に起立板２７を有する。化粧板１４は下面が意匠性を有する。
【００２２】
図７および図８に示すように、化粧板１４は、天井板１の埋設孔２の上面に配置された取付板１１と、天井板１の埋設孔２の下面に配置された補助枠１２とがボルト１３により結合された後に、補助枠１２を覆うように天井板１の下面に配置される。
【００２３】
図９に示すように、天井板１の埋設孔２の上面に配置された取付板１１と、天井板１の埋設孔２の下面に配置された補助枠１２とがボルト１３により結合された際に、ボルト１３が、補助枠１２のフランジ部２２の内周側の段差部２３に配置される。
従って、ボルト１３を化粧板１４に干渉せずに取り付けできるとともに、化粧板１４を薄く形成できるので外観面を良好にできる。
【００２４】
次に、リニューアルプレート１０の組立手順について説明する。
図１０に示すように、まず、取付板１１が天井板１の埋設孔２に下方から挿入されていく。
図１１に示すように、天井板１の埋設孔２の上面に配置された取付板１１は、位置決め突起２０により埋設孔２に位置決めされる。
【００２５】
図１２に示すように、天井板１の埋設孔２の下面に補助枠１２が配置され、補助枠１２の段差部２３に有するボルト挿通孔２４に挿通されたボルト１３が取付板１１のねじ孔１７にねじ込まれる。
図１３に示すように、補助枠１２の段差部２３に有するボルト挿通孔２４に挿通されたボルト１３が取付板１１のねじ孔１７にねじ込まれることにより、天井板１の上面の取付板１１と、天井板１の下面の補助枠１２とがボルト１３により天井板１を挟み込んで接続される。
【００２６】
次に、図１４に示すように、器具本体５１の下面に化粧板１４が取り付けられる。化粧板１４は、器具本体５１のレンズ５５の前面に配置される。
図１５に示すように、化粧板１４が下面に取り付けられた器具本体５１が、取付ばね５２を器具本体５１に沿うように弾性変形させながら、補助枠１２の器具本体挿通孔２１および取付板１１の器具本体挿通孔１６に下方から挿通されていく。
このとき、天井板１の下方から直視されている取付板１１の切欠１８に器具本体５１の取付ばね５２を進行させることになる。
従って、天井板１の下方から直視されている取付板１１の切欠１８に取付ばね５２を位置させることができるために、器具本体５１の挿通方向を簡単に設定できる。
【００２７】
図１６に示すように、取付ばね５２を器具本体５１に沿うように弾性変形させながら、補助枠１２の器具本体挿通孔２１および取付板１１の器具本体挿通孔１６に下方から挿通された器具本体５１は、取付ばね５２が、それぞれの外径を大きくするように弾性復元される。
図１７に示すように、取付ばね５２は取付板１１の切欠１８に位置されて、取付板１１を下方に向けて押圧する押下力を付与する。
従って、取付板１１が、その切欠１８に配置された取付ばね５２による押下力を受け、この押下力に対する反力により器具本体５１を保持できる。
【００２８】
以上、説明した一実施形態のリニューアルプレート１０によれば、天井板１の埋設孔２に下方から取付板１１が挿入されて天井板１の上面に取付板１１が配置され、天井板１の下面に補助枠１２が配置されて補助枠１２が取付板１１に仮止めされる。そして、器具本体５１が補助枠１２の器具本体挿通孔２１および取付板１１の器具本体挿通孔１６を挿通されることにより、取付板１１と補助枠１２とにより天井板１を挟み込んで器具本体５１が支持される。このとき、取付板１１が取付ばね５２による押下力を受けるために、押下力に対する反力により器具本体５１を保持できるので、保持力の設定を簡単にできるとともに簡素な構造にできる。
【００２９】
また、一実施形態のリニューアルプレート１０によれば、器具本体５１が補助枠１２の器具本体挿通孔２１および取付板１１の器具本体挿通孔１６を挿通される際に、天井板１の下方から直視されている取付板１１の切欠１８に取付ばね５２を位置させることができるために、器具本体５１の挿通方向を簡単に設定できる。
【００３０】
そして、一実施形態のリニューアルプレート１０によれば、フランジ部２２の内周側の段差部２３に取付板１１にねじ込まれるボルト１３を配置することにより、ボルト１３を化粧板１４に干渉せずに取り付けできるとともに、化粧板１４を薄く形成できるので外観面を良好にできる。
【００３１】
さらに、一実施形態のリニューアルプレート１０によれば、天井板１の下方から取付板１１の切欠１８を直視できるために、施工性を良好にできる。
【００３２】
さらにまた、一実施形態のリニューアルプレート１０によれば、取付板１１が天井板１の埋設孔２上に配置されるときに、位置決め突起２０により、取付板１１を埋設孔２の所定の位置に位置決めできる。
【００３３】
なお、本発明のリニューアルプレートにおいて器具本体，ＬＥＤ，ＬＥＤユニット，レンズ等は、前述した実施形態に限定されるものでなく、適宜な変形や改良等が可能である。
【符号の説明】
【００３４】
１  天井板
２  埋設孔
１０  リニューアルプレート
１１  取付板
１２  補助枠
１３  ボルト（固定具）
１４  化粧板
１６，２１  器具本体挿通孔
１８  切欠
２０  位置決め突起（突起）
２２  フランジ部
２３  段差部
５０  照明器具
５１  器具本体
５２  取付ばね
【図１】
0005623221.tif 000002
【図２】
0005623221.tif 000003
【図３】
0005623221.tif 000004
【図４】
0005623221.tif 000005
【図５】
0005623221.tif 000006
【図６】
0005623221.tif 000007
【図７】
0005623221.tif 000008
【図８】
0005623221.tif 000009
【図９】
0005623221.tif 000010
【図１０】
0005623221.tif 000011
【図１１】
0005623221.tif 000012
【図１２】
0005623221.tif 000013
【図１３】
0005623221.tif 000014
【図１４】
0005623221.tif 000015
【図１５】
0005623221.tif 000016
【図１６】
0005623221.tif 000017
【図１７】
0005623221.tif 000018